(57)【要約】      （修正有）【課題】就寝時の足元の冷えを解消し、暖かく、足を圧迫する事なく且つ、丸洗い可能な足専用ふとんを提供する。【解決手段】上側のふとん体Ａ、下側のふとん体Ｂを上下に重ね合わせて成り、足出入部Ｃ以外の３片を連続的にとじ合わせ、その上側のふとん体Ａと下側のふとん体Ｂ双方に中綿を充填する事で、足を万遍なく保温する事ができ、且つ、丸洗いができるよう形成された足専用ふとんを２枚作り、左右の足を別々に、靴下を履くように挿入可能とした。【選択図】図１
0003144081.tif 000002
【実用新案登録請求の範囲】
【請求項１】
上端に開口部を有する膝保温部と、中間にふくらはぎ保温部を設け、下端を閉じた足保温部からなる筒状の袋体を、柔軟な生地材で外筒部と内筒部に構成し、該外筒部と内筒部の間に中綿を入れて布団の形態にし、膝上から足先までを保温することを特徴とする足保温用のふとん。
【請求項２】
筒状の袋体を、左右の足用に左右一対のものに作成し、該左右の袋体に、左右の足を各々入れて、左右の足の膝上から足先までを各々単独的に保温することを特徴とする請求項１記載の足保温用のふとん。
【請求項３】
筒状の袋体を、帯状の二枚のふとん体を重ね合わせてなり、足の挿入部分となる上端開口部以外の３片を連続的に綴じ合わせて筒状に構成したことを特徴とする請求項１記載の足保温用のふとん。
【請求項４】
筒状の袋体を、帯状の一枚のふとん体に形成し、該一枚のふとん体を二つ折りにして重ね合わせてなり、足の挿入部分となる上端開口部以外の３片を連続的に綴じ合わせて筒状に構成したことを特徴とする請求項１記載の足保温用のふとん。
【請求項５】
中綿には、保温性に優れており、暖かさを持続する羽毛、若しくはポリエステル綿のいずれかを入れたことを特徴とする請求項１記載の足保温用のふとん。
【請求項６】
筒状の袋体を、膝上からふくらはぎ、足首、足先までを抱持する程度の内周径にし、該内周径を膝保温部から足保温部まで同一若しくは略同一に形成して、足に窮屈感、締め付け感がなく、ほどよい感触で保温することを特徴とする請求項１記載の足保温用のふとん。
【請求項７】
膝保温部、ふくらはぎ保温部、足保温部の境界部分に位置させて、中綿偏り防止テープを施して、中綿の偏りを防止すると共に、特に冷える足元に接する部分のみ中綿の量をより多く充填することを特徴とする請求項１記載の足保温用のふとん。
【請求項８】
生地材を表面に綿素材、中面にポリエステル生地の２重に重ね合わせ縫合してある事により中綿の吹き出しの防止になり、家庭での洗濯を可能にすることを特徴とする請求項１記載の足保温用のふとん。
【考案の詳細な説明】
【技術分野】
【０００１】
本考案は、左右の足用に左右一対のものに円筒形状の袋体を作成し、その円筒形状の袋体を、柔軟な生地材で外筒部と内筒部に構成し、該外筒部と内筒部の間に中綿をいれて、布団の形態にし、左右の足別々に挿入可能な、膝上から足先までを保温する足専用ふとんに関するものである。
【背景技術】
【０００２】
一般的に快眠の要件として頭寒足熱と謂われており、寝つきが悪い原因の１つが冷えによる足の温度の低下といわれている。また、冷え性の人は、よく就寝時に重ね着をしたり、靴下を履いたりして寝ているが、かえって体を圧迫して逆効果になる事がある。また、睡眠時、ふとんが捲り上がり足が冷えて起きてしまうなど不快な事がある。
【０００３】
冷えによる足の温度の低下を防ぐために、足を保温し、眠れないことを解消する寝具の考案が、例えば特許文献１、２として登録されている。
【特許文献１】実用新案登録第３１２３７００号公報「足保温袋」
【特許文献２】実用新案登録第３０８８４７８号公報「レッグウォーマー」
【考案の開示】
【考案が解決しようとする課題】
【０００４】
上記特許文献１、２は、薄手の生地材で構成された保温袋など布状の物で、中綿を有して保温するものではない。
【０００５】
また、袋の上部が膝下位置にあるため、袋のずり下がりを防止するために、紐状、ファスナー状の締め付け部材を有するものであり、袋の装着、脱着時の緊締操作や取り外しが煩しく面倒であり、また、就寝時に長時間に亘っての窮屈感と締め付け感をもたらせるもので、使用者の不快感を誘引し快眠を妨げる恐れがある。
【課題を解決するための手段】
【０００６】
上記問題点に鑑み、本考案は、第一に、上端に開口部を有する膝保温部と、中間にふくらはぎ保温部を設け、下端を閉じた足保温部からなる筒状の袋体を、柔軟な生地材で外筒部と内筒部に構成し、該外筒部と内筒部の間に中綿を入れて布団の形態にし、膝上から足先までを保温し、または、就寝時に窮屈感と締め付け感をもたらせにくく保温し、保温効果に起因する良好な血流を促す事により、より快適で、自由な姿勢での睡眠を奏し温かく快適な睡眠を提供する。
【０００７】
第２に、筒状の袋体を、左右の足用に左右一対のものに作成し、該左右の袋体に、左右の足を各々入れて、左右の足の膝上から足先までを各々単独的に保温する構成にした。
【０００８】
第３に、筒状の袋体を、帯状の二枚のふとん体を重ね合わせてなり、足の挿入部分となる上端開口部以外の３片を連続的に綴じ合わせて筒状に構成した。
【０００９】
第４に、筒状の袋体を、帯状の一枚のふとん体に形成し、該一枚のふとん体を二つ折りにして重ね合わせてなり、足の挿入部分となる上端開口部以外の３片を連続的に綴じ合わせて筒状に構成した。
【００１０】
第５に、足ふとんを構成する中綿に、羽毛、又はポリエステル綿を使用する。羽毛、又ポリエステル綿は保温性に優れており、偏りにくく暖かさを持続する構成にした。
【００１１】
第６に、筒状の袋体を、膝上からふくらはぎ、足首、足先までを抱持する程度の内周径にし、該内周径を膝保温部から足保温部まで同一若しくは略同一に形成して、足に窮屈感、締め付け感がなく、ほどよい感触で保温する構成にした。
【００１２】
第７に、中綿偏り防止テープを、膝保温部、ふくらはぎ保温部、足保温部の境界部分に位置させて、施して、中綿の偏りを防止すると共に、特に冷える足元に接する部分のみ中綿の量をより多く充填する構成にした。
【００１３】
第８に、生地材を表面に綿素材、中生地にポリエステル生地の２重に重ね合わせ縫合してある事により中綿の吹き出しの防止のほか、家庭での洗濯ができる構成にした。
【考案の効果】
【００１４】
本考案は、請求項１記載の構成により、上側のふとん体と下側のふとん体双方に中綿を充し、且つ柔軟な生地材を有する事で、膝上から足先までを保温する事ができる。また、膝や足首の曲げにも抵抗感がないので就寝中の足の動きに支障がなく、自由な姿勢で眠る事ができる。
【００１５】
また、請求項２記載の構成により、筒状の袋体を、左右の足用に左右一対のものに作成し、就寝中の足の動きに支障がなく、自由な姿勢で眠る事ができる。
【００１６】
請求項３、また、請求項４記載の構成により、筒状の袋体を、帯状の二枚のふとん体を重ね合わせてなり、膝上から足先まで、又は、足の周囲に万遍なく中綿を触れさせ、より一層保温効果を高める事ができる。
【００１７】
また、請求項５記載の構成により、足ふとんを構成する中綿に、羽毛、又はポリエステル綿を使用する。羽毛、又ポリエステル綿は保温性に優れており、偏りにくく暖かさを持続させる事ができる。
【００１８】
そして、請求項６記載の構成により、紐、ゴムなどのずり落ち防止部材の使用はしていないため、足に圧迫感、締め付け感がなく、ほどよい感触で眠る事ができ、且つ中綿を適度の量に充填し、膝上までのサイズで作っているために就寝中に足から外れるのを極力防止する事ができる。
【００１９】
更には、請求項７記載の構成により、中綿偏り防止テープを施している。各上側のふとん体、下側のふとん体共に、中綿偏り防止テープを、膝保温部、ふくらはぎ保温部、足保温部の境界部分に位置させているために、中綿が万遍なくまた、均等に足を覆う事ができる。また、足元に接する部分のみ中綿の量を多く充填するため、特に冷えやすい足元の保温を可能にする事ができる。
【００２０】
請求項８記載の構成により、生地を表面に綿素材、中生地にポリエステル生地の２重に重ね合わせ縫合してあり、中綿の吹き出しの防止になるうえに、家庭での洗濯を可能とする事ができる。
【考案を実施するための最良の形態】
【００２１】
本考案の実施例を図面に基づいて詳述する。図１は、左右各足ふとんの外観斜視図であり、上端に開口部を有する膝保温部（ａ）、ふくらはぎ保温部（ｂ）、下端を閉じた足保温部（ｃ）からなる中綿を入れた筒状の袋体を、柔軟な生地材で外筒部と内筒部に構成し、該外筒部と内筒部の間に中綿（４）を入れて布団の形態にし、それぞれ各左右の足別々に履けるよう形成されており、図２の足挿入側の外観図にあるように靴下のように足出入部（Ｃ）より足を挿入して使用する。上側のふとん体（Ａ）と下側のふとん体（Ｂ）を重ね合わせてなり、足出入部（Ｃ）以外の３片を連続的に綴じ合わせる。
【００２２】
上側のふとん体（Ａ）と下側のふとん体（Ｂ）双方に中綿（４）を充填する事で、足を万遍なく保温する事を特徴とする足専用ふとん。また、中綿（４）には、足を保温するために最適な羽毛、又はポリエステル綿のいずれかを使用し、就寝中の体の動きにより綿が偏りにくく、紐、ゴムなどの使用はしていないため、足に圧迫感、締め付け感がなく、ほどよい感触で眠る事ができ、且つ膝上までのサイズで形成しているために、膝（ｘ）から（ｙ）まで保温でき、且つ、就寝中に足から足ふとんが外れにくい構成とした。
【００２３】
図３は、図１の足ふとんのとじ部側の外観図で、足の挿入時に足の先、裏面まで保温でき、且つ足が足ふとんから抜けないように縫合している。そして、筒状の袋体は、膝上からふくらはぎ、足首、足元（ｙ）、足先までを抱持する程度の内周径にされており、該内周径を膝保温部から足保温部まで同一若しくは略同一に形成して、足に窮屈感、締め付け感を与えることなく、柔軟な生地材使用と相俟ってふんわりとしたほどよい感触で足全体を保温することができる。
【００２４】
図４は足ふとんの断面図であり、図５の第一実施形態を示す足ふとんの側面断面図にもあるように、中綿（４）が万遍なくまた、均等に足を覆うために各上側のふとん体（Ａ）に２箇所、下側のふとん体（Ｂ）２箇所に、均等の間隔で中綿偏り防止テープ（５）を施している。また、膝保温部（ａ）、ふくらはぎ保温部（ｂ）、足保温部（ｃ）の境界部分に位置させて中綿偏り防止テープ（５）を施している事により中綿（４）の偏りの防止になると共に、図６、図７の足ふとんの足挿入時の外観図にもあるように、足元（ｙ）に接する部分（６）のみ中綿の量を多く充填する足元に接する中綿増量部分を構成するため、特に冷えやすい足元（ｙ）の保温を可能にできる。
【００２５】
図８は、第二実施形態を示す足ふとんの側面断面図で、図５の第一実施形態を示す足ふとんの側面断面図は、上側のふとん体（Ａ）と下側のふとん体（Ｂ）の筒状の袋体を、帯状の二枚のふとん体を重ね合わせてなり、足の挿入部分（Ｃ）となる上端開口部以外の３片を連続的に綴じ合わせて筒状に形成されているが、図８は、上側のふとん体（Ａ）と下側のふとん体（Ｂ）の筒状の袋体を、帯状の一枚のふとん体に形成し、該一枚のふとん体を二つ折りにして重ね合わせてなり、足の挿入部分（Ｃ）となる上端開口部以外の３片を連続的に綴じ合わせて筒状に構成した。この形態のものは足裏相当位置になる二つ折り部分にも中綿が充填されるので、足裏が的確に保温される利点がある。
【００２６】
生地を表面（１）に綿素材、中生地（３）にポリエステル生地の２重に重ね合わせ縫合してある事により中綿（４）の吹き出しの防止になるうえに、家庭での洗濯を可能にした。
【産業上の利用可能性】
【００２７】
本考案の足専用ふとんは、現代の冷え性対策のひとつであり、特に足の冷え性の人には、快適な睡眠環境が得られるものであり家庭用として健常者、老若男女問わずに気持ちよく使用できる。また洗濯、乾燥が簡単であるので、衛生的で病院や介護施設などにも使用できるもので、産業上の利用可能性は高いものである。
【図面の簡単な説明】
【００２８】
【図１】足ふとんの外観斜視図。
【図２】足ふとんの足挿入部の外観図
【図３】足ふとんのとじ部の外観図
【図４】足ふとんの断面図
【図５】第一実施形態を示す足ふとんの側面断面図
【図６】足ふとんの足挿入時の外観側面図
【図７】足ふとんの足挿入時の外観正面図
【図８】第二実施形態を示す足ふとんの側面断面図
【符号の説明】
【００２９】
Ａ  上側のふとん体
Ｂ  下側のふとん体
Ｃ  足出入部
ａ  膝保温部（開口部）
ｂ  ふくらはぎ保温部
ｃ  足保温部
ｘ  膝部
ｙ  足元部
１  外生地
２  とじ部
３  中生地
４  中綿
５  中綿偏り防止テープ
６  足元に接する中綿増量部分
７  折り曲げ部
【図１】
0003144081.tif 000003
【図２】
0003144081.tif 000004
【図３】
0003144081.tif 000005
【図４】
0003144081.tif 000006
【図５】
0003144081.tif 000007
【図６】
0003144081.tif 000008
【図７】
0003144081.tif 000009
【図８】
0003144081.tif 000010